(57)【要約】【課題】従来の湯たんぽに対して付加価値を付与した新しい湯たんぽを提供する。【解決手段】湯たんぽ１は、その湯たんぽ本体２の上面に、指圧用凸部３が設けられている。さらに、湯たんぽ１は、本体２の上面を覆う湯たんぽカバー１０を備える。カバー１０の凸部３に対応する箇所に、本体２の上面をカバー１０で覆った状態のもとで凸部３をカバー１０の表面に露出させる貫通孔１１が設けられている。【選択図】図３
2010057577.tif 000002
【特許請求の範囲】
【請求項１】
湯たんぽ本体の上面に、指圧用凸部が設けられていることを特徴とする湯たんぽ。
【請求項２】
前記本体の上面を覆う湯たんぽカバーを備え、
前記カバーの前記凸部に対応する箇所に、前記本体の上面を前記カバーで覆った状態のもとで前記凸部を前記カバーの表面に露出させる貫通孔が設けられている請求項１記載の湯たんぽ。
【請求項３】
前記カバーは、前記本体に取外し可能に取り付けられるものであり、
前記本体の上面に、前記凸部として、高さが高い指圧用高凸部と、該高凸部よりも高さが低い指圧用低凸部とが設けられており、
前記本体の上面が前記カバーで覆われた状態のもとで、前記高凸部が前記カバーの貫通孔を通じて前記カバーの表面に露出するとともに、前記低凸部が前記カバーで隠蔽されるように構成されている請求項２記載の湯たんぽ。
【請求項４】
前記本体の上面に設けられた注湯口部に該注湯口部を閉塞するキャップが装着されるとともに、
前記本体の上面が前記カバーで覆われた状態のもとで、前記キャップが前記カバーで隠蔽されるように構成されている請求項２又は３記載の湯たんぽ。
【発明の詳細な説明】
【技術分野】
【０００１】
本発明は、湯たんぽに関する。
【背景技術】
【０００２】
湯たんぽは、その少なくとも上面に人の身体の被加温部位を接触させることにより、当該被加温部位を温めるために用いられる。この湯たんぽは、その上面が被加温部位を温めるのに適する温度になるように、少なくとも上面を湯たんぽカバーで覆った状態にして用いられたり、あるいはカバーで覆わないで用いられたりする。
【０００３】
湯たんぽカバーとしては、従来よりタオルが広く用いられており、近年ではプラスチック製の専用カバーが用いられてきている（例えば特許文献１参照）。一方、湯たんぽの本体は、従来より金属製のものが広く用いられていたが、近年ではプラスチック製のものも用いられてきている（例えば特許文献２参照）
【特許文献１】特許第３２９５４０５号公報
【特許文献２】特開２００５−２４５７７３号公報
【発明の開示】
【発明が解決しようとする課題】
【０００４】
而して、このような湯たんぽについて付加価値を付与して商品価値を高めることが望まれるところである。
【０００５】
そこで本発明は、従来の湯たんぽに対して付加価値を付与した新しい湯たんぽを提供することを目的とする。
【課題を解決するための手段】
【０００６】
本発明は以下の手段を提供する。
【０００７】
［１］  湯たんぽ本体の上面に、指圧用凸部が設けられていることを特徴とする湯たんぽ。
【０００８】
［２］  前記本体の上面を覆う湯たんぽカバーを備え、
前記カバーの前記凸部に対応する箇所に、前記本体の上面を前記カバーで覆った状態のもとで前記凸部を前記カバーの表面に露出させる貫通孔が設けられている前項１記載の湯たんぽ。
【０００９】
［３］  前記カバーは、前記本体に取外し可能に取り付けられるものであり、
前記本体の上面に、前記凸部として、高さが高い指圧用高凸部と、該高凸部よりも高さが低い指圧用低凸部とが設けられており、
前記本体の上面が前記カバーで覆われた状態のもとで、前記高凸部が前記カバーの貫通孔を通じて前記カバーの表面に露出するとともに、前記低凸部が前記カバーで隠蔽されるように構成されている前項２記載の湯たんぽ。
【００１０】
［４］  前記本体の上面に設けられた注湯口部に該注湯口部を閉塞するキャップが装着されるとともに、
前記本体の上面が前記カバーで覆われた状態のもとで、前記キャップが前記カバーで隠蔽されるように構成されている前項２又は３記載の湯たんぽ。
【発明の効果】
【００１１】
本発明は以下の効果を奏する。
【００１２】
［１］の発明によれば、湯たんぽ本体の上面に指圧用凸部が設けられているので、使用者の被加温部位（特に被加温部位に存在するツボ）に対して指圧効果を与えることができるとともに、この凸部は本体内に入れた湯によって局部的に熱くなるので、温熱効果についても付与することができ、これにより、マッサージ、血行促進、癒しなどの優れた効果を得ることができる。
【００１３】
［２］の発明によれば、湯たんぽカバーの凸部に対応する箇所に貫通孔が設けられていることから、本体の上面を使用者の被加温部位を温めるのに適する温度にするためにカバーで覆った場合であっても、凸部がカバーの貫通孔を通じてカバーの表面に露出し、使用者の被加温部位に対して上記指圧効果及び温熱効果を与えることができる。
【００１４】
［３］の発明によれば、本体の上面をカバーで覆った状態では、指圧用高凸部によって使用者の被加温部位に対して上記指圧効果及び温熱効果を与えることができるし、一方、カバーを本体から取り外して本体の上面を露出させた状態では、使用者の被加温部位に対して少なくとも２種類の指圧力が異なる上記指圧効果及び温熱効果を与えることができる。
【００１５】
［４］の発明によれば、注湯口部をキャップで閉塞した状態のままで本体の上面をカバーで覆うことにより、キャップがカバーで隠蔽されるため、湯たんぽの外観を向上させることができる。
【発明を実施するための最良の形態】
【００１６】
次に、本発明の一実施形態について図面を参照して以下に説明する。
【００１７】
図１〜４において、１は、本発明の一実施形態に係る湯たんぽである。この湯たんぽ１は、図３及び４に示すように、カバー付きのものであり、すなわち湯たんぽ本体２と湯たんぽカバー１０とを備えている。
【００１８】
本体２は、プラスチック（例：ポリエチレン）製のブロー成形品である。本体２の平面形状は、左右方向に延びた略長円状（楕円状を含む）であり、詳述すると、本体２の形状は略扁平なそら豆状である。図３に示すように、本体２の内部は空洞になっており、この空洞部２ａに湯が入れられる。
【００１９】
本体２の左右方向の幅は例えば約２２０〜２８０ｍｍであり、本体２の長さは例えば約１６０〜２００ｍｍであり、本体２の厚さ（高さ）は例えば約５０〜７０ｍｍである。また、本体２の上壁部の肉厚は例えば２〜４ｍｍであって上壁部全体に亘って均一に形成されており、本体２の下壁部の肉厚もまた例えば２〜４ｍｍであって下壁部全体に亘って均一に形成されている。ただし本発明では、本体２の各寸法は、例示した寸法であることに限定されるものではなく、様々に変更可能である。
【００２０】
本体２の上面の中央部には、本体２の内部（空洞部２ａ）に湯を入れるための注湯口部６が設けられるとともに、この注湯口部６を閉塞するキャップ７が注湯口部６に着脱自在に装着されている。さらに、注湯口部６は、本体２の上面の中央部に局部的に凹んで形成された凹部８の内側に配置されており、これにより、キャップ７を注湯口部６に装着した状態において本体２の上面からのキャップ７の突出量が抑制されている。
【００２１】
図３に示すように、本体２の上面には、複数個の指圧用凸部３が一体形成されている。各凸部３は、少なくとも頂部が凸球面状に形成されたものであり、その平面形状は円形状である。本実施形態では、各凸部３は、その頂部が凸球面の略円錐状に形成されている。さらに、各凸部３は、本体２の上面が局部的に突出するように且つ本体２の上壁部の肉厚が略一定になるように、本体２の上壁部が局部的に屈曲されて形成されている。
【００２２】
これらの凸部３は、少なくとも２種類の高さの異なる指圧用凸部３ａ、３ｂを含んでおり、本実施形態では、凸部３として、高さが高い複数個の指圧用高凸部３ａと、該高凸部３ａよりも高さが低い複数個の指圧用低凸部３ｂとの２種類の高さの異なる凸部３が本体２の上面に設けられている。
【００２３】
図３に示すように、これらの凸部３のうち、複数個の高凸部３ａは、本体２の上面の左半部及び右半部に、それぞれ、本体２の上面の中央部を中心とした円弧方向に間隔をおいて並んで且つ左右対称な位置に配置されている。一方、複数個の低凸部３ｂは、本体２の上面の左半部及び右半部に、それぞれ、円弧方向に並んだ前記複数個の高凸部３ａよりも半径方向外側であって且つ左右対称な位置に互いに間隔をおいて配置されている。
【００２４】
本体２の上面に対する高凸部３ａの突出高さは例えば約１０〜１８ｍｍである。本体２の上面に対する低凸部３ｂの突出高さは約５ｍｍ以上であり、更に低凸部３ｂの突出高さは高凸部３ａの突出高さよりも例えば約５〜１２ｍｍ低く設定されている。高凸部３ａの根元部における直径は例えば約２４〜２８ｍｍであり、低凸部３ｂの根元部における直径は例えば約２２〜２８ｍｍである。ただし本発明では、高凸部３ａの寸法及び低凸部３ｂの寸法は、例示した寸法であることに限定されるものではなく、様々に変更可能である。
【００２５】
ここで、上述したように、本体２の上壁部の肉厚は上壁部全面に亘って均一に形成されているので、本体２の上壁部における凸部３の肉厚とそれ以外の部位の肉厚とは等しく形成されている。
【００２６】
本体２の左右両端部には、それぞれ板状の把持部５が形成されている。
【００２７】
さらに、本体２の平面視において本体２の外周縁部には、外方に少し突出したカバー載置用鍔部４が本体２の周方向に延びて一体形成されている。
【００２８】
カバー１０は、略逆皿形状のものであって、本体２の上面全体を覆って本体２の上面を使用者の被加温部位を温めるのに適する温度にするためのものであり、弾性を有するプラスチック（例：ポリプロピレン）製である。カバー１０の肉厚は例えば約１〜３ｍｍである。ただし本発明では、カバー１０の寸法は、例示した寸法であることに限定されるものではない。
【００２９】
カバー１０は、図２に示すように、本体２の鍔部４上に載置されることによって、本体２の上面に対して上方に離間した状態にして本体２の上面を覆うように配置されるものである。このようにカバー１０が配置された状態において、本体２の上面とカバー１０との間の隙間は例えば約２〜１２ｍｍに設定されている。
【００３０】
さらに、図３に示すように、カバー１０の各高凸部３ａに対応する箇所には、本体２の上面をカバー１０で覆った状態のもとで各高凸部３ａをカバー１０の表面に露出させる複数個の高凸部露出用貫通孔１１が設けられている。各貫通孔１１は平面視円形状であり、その直径は高凸部３ａの直径よりも若干大きく設定されており、これにより、貫通孔１１内に高凸部３ａが遊挿状態に配置されるものとなされている。
【００３１】
さらに、図２に示すように、本体２の上面がカバー１０で覆われた状態のもとでは、各高凸部３ａは、対応する貫通孔１１を通じてカバー１０の表面に対してその頂部が少し突出する状態にしてカバー１０の表面に露出しており、一方、各低凸部３ｂと注湯口部６に装着されたキャップ７とは共にカバー１０で隠蔽されて外部から見えない状態になっている。この状態において、低凸部３ｂの頂部とカバー１０との間の隙間は例えば約１〜４ｍｍに設定されている。さらに、高凸部３ａの頂部はカバー１０の表面に対して例えば約１〜４ｍｍ突出している。
【００３２】
また本実施形態の湯たんぽ１は、図１に示すように、本体２の上面を覆った状態にカバー１０を本体２に分離可能に固定する複数の固定手段９を備えている。この固定手段９は、カバー１０の外周縁部に下方突出状に一体形成された複数の弾性突片部９ａのそれぞれに設けられた係合９ｂ孔と、本体２の外周面部に一体形成されるとともに各係合孔９ｂに係脱自在に係合する複数の係合凸部９ｃと、を有している。そして、本体２の上面を覆った状態に配置されたカバー１０、即ち本体２の鍔部４上に載置されたカバー１０は、その各弾性突片部９ａの係合孔９ｂに本体２の対応する係合凸部９ｃを上方から係脱自在に強制的に係合させることにより、本体２の上面を覆った状態に本体２に取り付けられて固定される。一方、係合孔９ｂから係合凸部９ｃを強制的に抜出して両者の係合を解除することにより、カバー１０の本体２への固定が解除されてカバー１０を本体２から取り外すことが可能となる。このようにカバー１０を本体２から取り外した状態にしたのち、湯を注湯口部６から本体２の空洞部２ａ内に入れたり湯を排出したりすることができる。
【００３３】
次に、本実施形態の湯たんぽ１の使用方法について説明する。
【００３４】
まず、注湯口部６から本体２の空洞部２ａ内に湯を入れて注湯口部６をキャップ７で閉塞する。次いで、カバー１０を本体２の鍔部４上に載置することにより本体２の上面をカバー１０で覆う。これにより、図１及び２に示すように、各指圧用高凸部３ａが、カバー１０の対応する貫通孔１１を通じてその頂部がカバー１０の表面に対して少し突出した状態にしてカバー１０の表面に露出し、一方、各指圧用低凸部３ｂとキャップ７とは共にカバー１０で隠蔽されて外部から見えなくなる。さらに、カバー１０の各弾性突片部９ａの係合孔９ｂに本体２の対応する係合凸部９ｃを係合させることにより、カバー１０を本体２に固定し、本体２の上面を覆った状態にカバー１０を保持する。この状態にしてから、カバー１０の表面上に使用者の被加温部位（例：背中、腰、脚太腿、脹脛、足裏）を載せてカバー１０の表面に接触させることで、当該被加温部位を温める。
【００３５】
また、この湯たんぽ１は、カバ１０で本体２の上面を覆わないで使用しても良く、すなわち、カバー１０を本体２から取り外して本体２の上面を露出させた状態にして湯たんぽ１を使用しても良い。
【００３６】
湯たんぽ１の使用後は、カバー１０を本体２から取り外して更にキャップ７を注湯口部６から取り外すことにより、本体２内の湯（水）を排出することができる。
【００３７】
而して、本実施形態の湯たんぽ１には次の利点がある。
【００３８】
この湯たんぽ１によれば、湯たんぽ本体２の上面に指圧用凸部３が設けられているので、使用者の被加温部位（特に被加温部位に存在するツボ）に対して指圧効果を与えることができるとともに、この凸部３は本体２内に入れた湯によって局部的に熱くなるので、温熱効果についても付与することができ、これにより、マッサージ、血行促進、癒しなどの優れた効果を得ることができる。
【００３９】
さらに、この湯たんぽ１はカバー１０を備えているので、カバー１０によって湯たんぽ本体２の上面を使用者の被加温部位を温めるのに適する温度にすることができる。
【００４０】
しかも、本体２の上面に指圧用高凸部３ａ及び低凸部３ｂが設けられ、カバー１０の高凸部３ａに対応する箇所には貫通孔１１が設けられている。したがって、本体２の上面を使用者の被加温部位を温めるのに適する温度にするためにカバー１０で覆った場合であっても、高凸部３ａがカバー１０の貫通孔１１を通じてカバー１０の表面に露出し、使用者の被加温部位に対して上記指圧効果及び温熱効果を与えることができる。
【００４１】
さらに、カバー１０は、本体２に取外し可能に取り付けられるものであり、本体２の上面に、凸部３として、高さが高い指圧用高凸部３ａと、該高凸部３ａよりも高さが低い指圧用低凸部３ｂとが設けられており、本体２の上面がカバー１０で覆われた状態のもとで、高凸部３ａがカバー１０の貫通孔１１を通じてカバー１０の表面に露出するとともに、低凸部３ｂがカバー１０で隠蔽されるので、次の利点がある。
【００４２】
すなわち、本体２の上面をカバー１０で覆った状態では（図１及び２参照）、高凸部３ａによって使用者の被加温部位に対して上記指圧効果及び温熱効果を与えることができるし、一方、カバー１０を本体２から取り外して本体２の上面を露出させた状態では（図３及び４参照）、使用者の被加温部位に対して少なくとも２種類の指圧力が異なる上記指圧効果及び温熱効果を与えることができる。
【００４３】
さらに、本体２の上面に設けられた注湯口部６に該注湯口部６を閉塞するキャップ７が装着されるとともに、本体２の上面がカバー１０で覆われた状態のもとでキャップ７がカバー１０で隠蔽されることから、注湯口部６をキャップ７で閉塞した状態のままで本体２の上面をカバー１０で覆うことにより、キャップ７をカバー１０で隠蔽することができる。そのため、湯たんぽ１の外観を向上させることができる。
【００４４】
さらに、カバー１０は、弾性を有するプラスチック製であり、且つ、本体２の上面に対して上方に離間した状態にして本体２の上面を覆うように配置されるものであるから、次のような利点がある。すなわち、使用者の被加温部位からの荷重を受けてカバー１０が下方向に弾性的に若干凹み、これに伴い、カバー１０の表面から突出する高凸部３ａの突出量が増大する。したがって、カバー１０に加わる荷重の大きさによって高凸部３ａの指圧力が増減されるようになるので、使用者の好みに応じて指圧力を容易に調節することができる。さらに、使用者の被加温部位からの荷重を受けてカバー１０が下方向に弾性的に若干凹むので、被加温部位をカバー１０で弾性的に受けることができ、そのため湯たんぽ１に対する当たり心地が良いという利点もある。さらに、この湯たんぽ１は、カバー１０が下方向に所定の凹み量を超えて弾性的に凹むと、該カバー１０がキャップ７及び低凸部３ｂの頂部のうち少なくとも一方に当接してカバー１０の下方向への更なる凹みが規制されるように構成されている。このため、カバー１０が必要以上に凹むことはない。
【００４５】
以上で本発明の一実施形態について説明したが、本発明は上記実施形態に限定されるものではなく、様々に変更可能であることは言うまでもない。
【００４６】
また本実形形態では、本体２の上面には、２種の高さが異なる指圧用凸部３ａ、３ｂが設けられているが、本発明では、その他に、３種類以上の高さが異なる指圧用凸部が設けられていても良い。
【００４７】
また本発明では、湯たんぽ１は、カバー１０を備えることが望ましいが、必ずしもカバー１０を備えることを要しない。
【００４８】
また本発明では、カバー１０は弾性を有するものであることが望ましいが、必ずしも弾性を有していなくても良い。
【産業上の利用可能性】
【００４９】
本発明は、湯たんぽに利用可能である。
【図面の簡単な説明】
【００５０】
【図１】図１は、本発明の一実施形態に係る湯たんぽを示す斜視図である。
【図２】図２は、同湯たんぽの断面図である。
【図３】図３は、同湯たんぽを本体とカバーとに分離して示す斜視図である。
【図４】図４は、同湯たんぽを本体とカバーとに分離して示す断面図である。
【符号の説明】
【００５１】
１：湯たんぽ
２：湯たんぽ本体
３：指圧用凸部
３ａ：指圧用高凸部
３ｂ：指圧用低凸部
６：注湯口部
７：キャップ
９：固定手段
１０：カバー
１１：貫通孔
【図１】
2010057577.tif 000003
【図２】
2010057577.tif 000004
【図３】
2010057577.tif 000005
【図４】
2010057577.tif 000006